(57)【要約】    【課題】  汚泥を含んだ水であっても目詰まりを生じさせることなく効率的に処理することができる水浄化装置を提供することである。    【解決手段】  下側から上側に向かって順に、互いに流体連通するようになった第１部分（１４）、第２部分（１６）、及び第３部分（１８）を有する本体（１２）を備え、第２部分に濾過材（３０）が配置されており、処理しようとする水を供給する給水管（２２）の先端が、第１部分の内部に位置決めされていることを特徴とする。好ましくは、給水管から供給される水を側方にそらせるため、給水管の先端から所定間隔隔てた個所にそらせ板（２２ａ）が配置されている。また、濾過材は、火山礫であるのが好ましい。【選択図】  図１
2005329324.tif 000002
【特許請求の範囲】
【請求項１】
水浄化装置であって
下側から上側に向かって順に、互いに流体連通するようになった第１部分、第２部分、及び第３部分を有する本体を備え、
前記第２部分に濾過材が配置されており、処理しようとする水を供給する給水管の先端が、前記第１部分の内部に位置決めされていることを特徴とする装置。
【請求項２】
前記第３部分に、処理済み水を前記本体外に排出するための排水管が配置されていることを特徴とする請求項１に記載の装置。
【請求項３】
前記給水管から供給される水を側方にそらせるため、前記給水管の前記先端から所定間隔隔てた個所にそらせ板が配置されていることを特徴とする請求項１又は２に記載の装置。
【請求項４】
前記濾過材が、火山礫であることを特徴とする請求項１から３までのいずれか１項に記載の装置。
【請求項５】
前記火山礫が、流紋岩質の軽石で形成されたものであることを特徴とする請求項４に記載の装置。
【発明の詳細な説明】
【技術分野】
【０００１】
本発明は一般に、水浄化装置に関する。より詳細には、本発明は、汚泥を含んだ水を浄化する水浄化装置に関する。
【背景技術】
【０００２】
池、湖水、入江などの水を浄化する浄水装置として、沈殿方式や濾過方式などの種々の型式の装置が知られている。
【発明の開示】
【発明が解決しようとする課題】
【０００３】
しかしながら、処理しようとする水（以下、「被処理水」という）に汚泥が含まれている場合に濾過方式の装置を使用すると、直ぐに目詰まりを生ずるという不都合がある。また、沈殿方式の装置では、処理に時間を要し、効率的に処理が行われにくいという不都合がある。このように、従来の浄水装置には、一長一短があり、特に汚泥を含んだ水を効率的に処理する装置が見当たらないのが現状である。
【０００４】
本発明は、このような状況に鑑みて案出されたものであって、汚泥を含んだ水であっても目詰まりを生じさせることなく効率的に処理することができる水浄化装置を提供することを目的とする。
【課題を解決するための手段】
【０００５】
本願請求項１に記載の水浄化装置は、下側から上側に向かって順に、互いに流体連通するようになった第１部分、第２部分、及び第３部分を有する本体を備え、前記第２部分に濾過材が配置されており、処理しようとする水を供給する給水管の先端が、前記第１部分の内部に位置決めされていることを特徴とするものである。
【０００６】
本願請求項２に記載の水浄化装置は、前記請求項１の装置において、前記第３部分に、処理済み水を前記本体外に排出するための排水管が配置されていることを特徴とするものである。
【０００７】
本願請求項３に記載の水浄化装置は、前記請求項１又は２の装置において、前記給水管から供給される水を側方にそらせるため、前記給水管の前記先端から所定間隔隔てた個所にそらせ板が配置されていることを特徴とするものである。
【０００８】
本願請求項４に記載の水浄化装置は、前記請求項１から３までのいずれか１項の装置において、前記濾過材が、火山礫であることを特徴とするものである。
【０００９】
本願請求項５に記載の水浄化装置は、前記請求項４の装置において、前記火山礫が、流紋岩質の軽石で形成されたものであることを特徴とするものである。
【発明の効果】
【００１０】
本発明の水浄化装置によれば、被処理水が濾過層（第２部分１６）の下方に供給されるので、下記のような効果が得られる。
（１）被処理水が濾過材を通過する前に泥等が沈殿されるため、濾過材の目詰まりの生ずる頻度が少なくなる。
（２）被処理水が直接空気に触れないため、悪臭が発生しにくくなる。
（３）被処理水が直接空気に触れないため、被処理水が冬期に凍結するのが防止される。
また、本発明の水浄化装置は、構造が簡単であるため、製造コストが廉価であり、メンテナンスも容易である。
また、濾過材として火山礫（とりわけ、流紋岩質の軽石で形成された火山礫）を用いているので、効率的な濾過が可能になった。
また、給水管の先端にそらせ板を設けることにより、被処理水を第１部分全体に行き渡らせることができるため、効率的に沈殿させることができる。
さらに、第１部分を仕切壁で分割することにより、被処理水の対流時間を減少させることができ、これにより沈殿に要する時間を短縮することができる。
【発明を実施するための最良の形態】
【００１１】
次に、図面を参照して、本発明の好ましい実施の形態に係る水浄化装置について詳細に説明する。図１は、本発明の好ましい実施の形態に係る水浄化装置を示した概略断面図である。図１において全体として参照符号１０で示される本発明の好ましい実施の形態に係る水浄化装置は、上端が開放した本体１２を備えている。本体１２は、下側から上側に向かって順に、第１部分１４、第２部分１６、第３部分１８の３つの部分に分けられている。第１部分１４と第２部分１６との境界、及び、第２部分１６と第３部分１８との境界には、網などの透水性構造体２０が設けられており、これにより第１、第２、及び第３部分１４、１６、１８は、互いに流体連通するようになっている。
【００１２】
水浄化装置１０は又、被処理水を本体１２内に供給するための給水管２２を備えており、給水管２２の先端は、第１部分１４内に位置決めされている。なお、給水管２２には、本体１２の第１部分１４内に被処理水を圧送するためのポンプ２４が介在されている。
【００１３】
水浄化装置１０は又、処理済み水を本体１２外に排出するための排水管２６を備えており、排水管２６の端部は、第３部分１８に高さに位置決めされている。なお、排水管２６には、第１バルブ２６ａが設けられている。
【００１４】
水浄化装置１０は更に、汚泥を本体１２外に排出するための排泥管２８を備えており、排水管２８の端部は、本体１２の底壁に取り付けられている。なお、排泥管２８には、第２バルブ２８ａが設けられている。
【００１５】
第２部分１６内には、濾過材３０が配置されている。本発明者は、種々の濾過材を検討した結果、火山礫が適当であることを見い出した。とりわけ、火山礫のうち、流紋岩質の軽石で形成された火山礫が、濾過材として特に好ましいことを見い出した。濾過材として使用する火山礫は、透水性の袋に入れて、上下の透水性構造体２０の間に配置する。
【００１６】
好ましくは、給水管２２の先端に、図２に示されるように、先端から所定間隔ｄ隔てた個所に、被処理水の流れ方向と直交するようにそらせ板２２ａを配置し、給水管２２の先端とそらせ板２２ａとを線材２２ｂで連結する。そらせ板２２ａを配置することによって、給水管２２の先端から流出した被処理水はそらせ板２２ａに当たって側方に流れ方向を変えられ、本体１２の第１部分１４全体に行き渡るようになる。
【００１７】
次に、図３を参照して、以上のように構成された水浄化装置１０の作動について説明する。まず、給水管２２の端部を、水処理しようとする池、湖沼、入江などに入れ、ポンプ２４を作動させて、被処理水を本体１２の第１部分１４内に供給する。第１部分１４内に供給された被処理水のうち泥等を含んだ泥水が、第１部分１４の下部に沈殿し、それ以外の汚水が上澄み水となる。第１部分１４内が被処理水で充満すると、被処理水は、第２部分１６を通過して第３部分１８に移動するが、その過程において、被処理水は、濾過材３０で濾過されるとともに、被処理水中に、火山礫の濾過材３０中の可溶成分（ＳｉＯ2 、Ａｌ2 Ｏ3 、ＮａＯ2 、ＣａＯ、ＦｅＯ、Ｋ2 Ｏ、ＰＯ5 、ＭｇＯ、ＴｉＯ2 、Ｍｎ2 Ｏなど）が含有される。沈殿され濾過された被処理水中に、火山礫中の可溶成分が含有されることにより、被処理水が一層浄化される。浄化された水は、排水管２６を介して、池、湖沼、入江などに戻される。また、沈殿した泥水は、排泥管２８を介して本体１２外に排出される。なお、被処理水の浄化度を高めるためには、上記の工程を繰り返すのがよい。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
例えば、図４に示されるように、第１部分１６を仕切壁３２で分割することによって、被処理水の対流時間を短くすることができ、これにより沈殿に要する時間を短縮することができる。なお、仕切壁３２の下端は、本体１２の底部まで延びておらず（図４参照）、また、仕切壁３２は、網などの透水性材料で形成するのが好ましい。
【図面の簡単な説明】
【００２０】
【図１】本発明の好ましい実施の形態に係る水浄化装置を示した概略図である。
【図２】図１の水浄化装置の給水管の先端部の拡大断面図である。
【図３】図１の水浄化装置を用いて水を浄化している状態を示した概略図である。
【図４】変形形態の水浄化装置を示した図である。
【符号の説明】
【００２１】
１０  水浄化装置
１２  本体
１４  第１部分
１６  第２部分
１８  第３部分
２０  透水性構造体
２２  給水管
２４  ポンプ
２６  排水管
２８  排泥管
３０  濾過材
【図１】
2005329324.tif 000003
【図２】
2005329324.tif 000004
【図３】
2005329324.tif 000005
【図４】
2005329324.tif 000006